(57)【要約】【課題】本発明は、複数種類の電力量計に適合可能であり、送電ロスなく多くの電力量計の性能試験を行うことが可能な自動結線装置を提供する。【解決手段】本発明は、互いに対向する位置に配置される２つの導通端子を有し、導通端子の一方又は双方を幅方向に移動させる導通端子移動手段を備え、試験の際、前記電力量計の電流端子は、２つの導通端子間に配置され、前記導通端子移動手段によって、前記一方又は双方の導通端子が幅方向に移動することで、前記電流端子が、前記導通端子に挟持される状態となり、導通端子と電流端子とが接触すること特徴とする。また、電力量計がセットされていない場合の自動結線装置の開放状態を防ぐため、短絡用導電部を備えることを特徴とする。【選択図】  図２
2015011022.tif 000002
【特許請求の範囲】
【請求項１】
電力量計を設置する電力量計設置部と、互いに対向する位置に配置される一対の導通端子を有すると共に、前記電力量計へ試験電力を供給する試験装置とも接続する試験電力供給部とを含む自動結線装置であって、
前記導通端子の一方又は双方を幅方向に移動させる導通端子移動手段を備え、
試験の際、前記電力量計の電流端子は、前記一対の導通端子間に配置され、前記導通端子移動手段によって、前記一方又は双方の導通端子が幅方向に移動すると、前記電流端子が、前記導通端子に挟持される状態となり、前記電力量計の電流端子と前記試験装置が電気的に接続されることを特徴とする自動結線装置。
【請求項２】
前記電力量計設置部に設置される際の前記電力量計の高さを調節する電力量計高さ調節手段を更に備える請求項１に記載の自動結線装置。
【請求項３】
一方又は双方の前記導通端子の内側面に、導電性材料からなる弾性体が配置される請求項１又は２に記載の自動結線装置。
【請求項４】
前記導通端子と前記電力量計の電流端子とが非接触状態にあるときに、他の自動結線装置と電気的に接続可能な状態とするための短絡用導電部を更に備え、
短絡用導電部は、前記導通端子近傍に配置され、
前記導通端子が、前記導通端子移動手段によって、前記電流端子との接触を解除する方向へ移動されると、前記短絡用導電部と接触する請求項１から３のいずれか一項に記載の自動結線装置。
【発明の詳細な説明】
【技術分野】
【０００１】
本発明は、電力量計、特に電子式電力量計の性能試験を行うために、電力量計と、該電力量計に試験電力を供給する試験装置とを電気的に接続する自動結線装置に関する。
【背景技術】
【０００２】
一般住宅、店舗、工場等の建物には、消費電力量を計測する電力量計が設置されており、電力会社から請求される電力料金は、電力量計が計測した消費電力情報に基づいて計算される。そのため、電力量計において、消費電力の計測が正確に出来ていないと、電力料金の計算も誤ったものとなってしまう。そのような事態を回避するため、流通前の電力量計に対して、正確な動作が担保されているか否かを確認する性能試験が行われている。
【０００３】
ここで、図７を用いて、電力量計３０の概略を説明する（ただし、電力量計としては、図７に示すもの以外にも、形状や構造の異なる電力量計の型が存在するが、一例として図７に示す電力量計３０について説明する。）。図７（ａ）は、電力量計３０の正面側斜視図、図７（ｂ）は、電力量計３０の背面図である。電力量計３０は、箱型の形状であり、その正面には計測された電力量を表示する表示部３０ａなどが設けられると共に、背面には、外部送電用ケーブルと係合する複数の電流端子３１や電圧端子３２が設けられる。この電流端子３１及び電圧端子３２を介して、電力量計３０に試験電流及び試験電圧が供給されると、内部に設けられた演算手段（図示しない。）により使用電力量が算出され、前記表示部に使用電力量が表示される。なお、同様の形状・構造であっても、定格によって、電力量計３０や、電流端子３１、電圧端子３２の寸法が異なることがある。
【０００４】
一方で、上述の電力量計の性能試験では、電力量計への試験電力の供給源となる試験装置と、電力量計とを電気的に接続する自動結線装置が用いられる。自動結線装置に係る技術は、例えば下記特許文献に開示されている。
【０００５】
特許文献１に記載の自動結線装置は、電力量計の電流端子と接続する電流測定端子と、装置本体に対して移動自在に設けられる移動体を含む装置本体を備え、電流測定端子は、一対の端子板からなり、移動体は、前記電流測定端子の一対の端子板の外方に配置される一対のスプリング体を有する構成である。電力量計の電流端子は、電流測定端子の一対の端子板間に嵌め込まれると、外方に配置される移動体のスプリング体の作用により、前記端子板から押圧される。これにより、電流端子と電流測定端子とが接触し、自動結線装置から電力量計へ試験電流を供給することが可能となる。
【先行技術文献】
【特許文献】
【０００６】
【特許文献１】特開２０１０−３８７６７号公報
【発明の概要】
【発明が解決しようとする課題】
【０００７】
しかしながら、特許文献１に記載の自動結線装置は、電流測定端子の端子板の双方が、固定された状態で設置され、且つその外方に隣接された状態でスプリング体が配置される構成であることから、電流端子の寸法（太さや長さ等）によっては、前記端子板の間に電流端子を嵌め込むことができない場合が生じうる。すなわち、異なる種類の電力量計の試験を同じ自動結線装置で行うという事態が想定されていない。よって、このような場合、電流測定端子の端子板間の距離を調整する、あるいはスプリング体の位置を変更するなどの処置が必要となるという課題を有する。
【０００８】
また、電力量計の電流端子が、電流測定端子の端子板間に嵌め込まれる際、電流端子と端子板とが接触した状態で奥側へ押込まれる。そのため、特許文献１に記載の自動結線装置は、試験時に、電流測定端子が摩耗するなどの可能性を有する。
【０００９】
上記課題に鑑み、本発明は、複数種類の電力量計の試験に適合可能である共に、試験の際、電力量計の電流端子と接触する箇所や、その他の構成部材の摩耗などの不具合を生じさせることのない自動結線装置を提供することを目的とする。
【課題を解決するための手段】
【００１０】
前記課題を解決するための本発明に係る自動結線装置は、
電力量計を設置する電力量計設置部と、互いに対向して配置する一対の導通端子を有すると共に、前記電力量計へ試験電力を供給する試験装置とも接続する試験電力供給部とを含み、
前記導通端子の一方又は双方を幅方向に移動させる導通端子移動手段を備え、
試験の際、前記電力量計の電流端子は、前記一対の導通端子間に配置され、前記導通端子移動手段によって、前記一方又は双方の導通端子が幅方向に移動すると、前記電流端子が、前記導通端子に挟持される状態となり、前記電力量計の電流端子と前記試験装置が電気的に接続されることを特徴とする。
【００１１】
また、本発明に係る自動結線装置は、前記電力量計設置部に設置される際の前記電力量計の高さを調節する電力量計高さ調節手段を更に備えていることが好ましく、一方又は双方の前記導通端子の内側面に、導電性材料からなる弾性体が配置されていることが好ましい。更に、前記導通端子と前記電力量計の電流端子とが非接触状態にあるときに、他の自動結線装置と電気的に接続可能な状態とするための短絡用導電部を備えることが好ましい。なお、前記短絡用導電部は、前記導通端子の可動範囲内、すなわち前記導通端子の近傍に配置されることが好ましい。
【発明の効果】
【００１２】
本発明によれば、電力量計の電流端子が、双方の導通端子間に配置された後に、導通端子移動手段によって、一方又は双方の導通端子が移動し、電流端子と双方の導通端子とが接触する構造であるため、試験時に、電流端子の損傷や導通端子の摩耗などの不具合を防ぐことができる。また、電力量計高さ調節手段を設けることで、寸法の異なる複数種類の電力量計の試験を行うことが可能であり、作業効率を向上させる自動結線装置を提供することが可能である。
【図面の簡単な説明】
【００１３】
【図１】電力量計の性能試験を行う際の装置配置に係る概略図。
【図２】電力量計がセットされる前の本発明に係る自動結線装置１０の斜視図及び正面図。
【図３】試験電力供給部の詳細を示す図。
【図４】計測電力量情報受信手段を備える自動結線装置１０の正面図。
【図５】電力量計高さ調節手段を備える自動結線装置１０を示す図。
【図６】短絡用導電部を備える自動結線装置１０を示す図。
【図７】電力量計の正面側斜視図及び背面図。
【発明を実施するための形態】
【００１４】
以下、図面を参照して本発明の望ましい実施形態を詳細に説明する。但し、本発明は多くの異なる態様で実施することが可能であり、以下に示す実施の形態の記載内容に限定して解釈されるものではない。
【００１５】
まず、図１及び図２を参照して、本発明の一実施形態に係る自動結線装置の全体構成について説明する。図１は、電力量計３０の性能試験を行う際の装置配置に係る概略図、図２は、電力量計３０がセットされる前の本発明に係る自動結線装置１０の斜視図（図２（ａ））及び正面図（図２（ｂ））である。
【００１６】
図１に示すように、複数の自動結線装置１０が、それぞれ直列的に接続されると共に、そのうち一つの自動結線装置１０と試験装置２０とが電気的に接続される。ここで、試験装置２０は、自動結線装置１０に試験電力を供給する装置である。
【００１７】
試験装置２０と直接接続される自動結線装置１０は１台であるが、他の自動結線装置１０が、この自動結線装置１０と直列的に接続されているため、試験装置２０から、すべての自動結線装置１０に試験電力が供給される。ただし、自動結線装置１０の接続配置は、これに限定されるものではない。
【００１８】
次に、図２を参照して、本実施形態に係る自動結線装置１０の構成概略を説明する。自動結線装置１０は、電力量計設置部１００、試験電力供給部２００、導通端子移動手段３００等を含む構成である。
【００１９】
電力量計設置部１００は、内側に電力量計３０を設置するための空域１１１を備える電力量計設置フレーム１１０と、電力量計３０の底面を支持する電力量計底面支持部１２０と、電力量計３０の側面を支持する電力量計側面支持部１３０とを含む。電力量計３０は、その背面側から、電力量計設置フレーム１１０の空域１１１に差し込まれる。また、空域１１１内に差し込まれた電力量計３０は、電力量計底面支持部１２０及び電力量計側面支持部１３０により、同じ姿勢を保ったまま支持される。ただし、電力量計設置部１００は、試験用の電力量計３０を設置支持できるものであれば、これに限られない。
【００２０】
次に、図２及び図３を用いて試験電力供給部２００について説明する。試験電力供給部２００は、電力量計３０に試験電力を供給する試験装置２０と電気的に接続されると共に、試験の際、電力量計３０とも電気的に接続され、試験電流及び試験電圧を供給するものである。本実施形態では、試験電力供給部２００は、図２（ａ）に示すように、電力量計設置部１００の背部側に配置されている。
【００２１】
また、試験電力供給部２００の構成は、図２（ｂ）に示すように、電力量計設置部１００に設置された電力量計３０の電流端子３１と接触可能な第一の導通端子２１０と、この第一の導通端子２１０と対向するよう配置され、同じく電力量計３０の電流端子３１と接触可能な第二の導通端子２２０と、電力量計３０の電圧端子３２と接触し、試験時に電力量計３０に試験電圧を印加する電圧印加部２３０とを含む。本実施形態では、試験電力供給部２００は、第二の導通端子２２０が取り付けられる絶縁ブロック２４０を更に備えるようにしている。
【００２２】
ここで、第一の導通端子２１０は、導線などの電気的接続手段を介して試験装置２０と接続される。すなわち、第一の導通端子２１０には、試験装置２０から試験電流が供給される。また、図３（ａ）に示すように、第一の導通端子２１０は、電力量計底面支持部１２０上に立設された状態で固定されることが好ましい。
【００２３】
第二の導通端子２２０は、第一の導通端子２１０と同じく、導線などの電気的接続手段を介して試験装置２０と接続される。すなわち、第一の導通端子２１０と同様、第二の導通端子２２０には、試験装置２０から試験電流が供給される。また、第二の導通端子２２０は、後述する導通端子移動手段３００により、自身が取り付けられる絶縁ブロック２４０と共に、幅方向に移動可能な状態で設置される。第二の導通端子２２０等の動作の詳細については後述する。なお、以下、第一の導通端子２１０と第二の導通端子２２０とをセットとして、一対の導通端子と呼ぶこともある。
【００２４】
試験時において、電力量計３０の電流端子３１は、第一の導通端子２１０と第二の導通端子２２０との間の領域に配置される。その後、第二の導通端子２２０が幅方向に移動する（当初設けられていた第一の導通端子２１０と第二の導通端子２２０との間の領域を狭める方向に移動する。）。これにより、電流端子３１は、第一の導通端子２１０と第二の導通端子２２０に挟持された状態、すなわち、双方の導通端子が、電流端子３１と接触した状態となり（図３（ｂ）参照）、試験電力供給部２００から電力量計３０へ試験電力が供給可能な状態となる。
【００２５】
これにより、電力量計３０が自動結線装置１０に差し込まれる際（第二の導通端子２２０の移動前の状態）、第一、第二の導通端子２１０、２２０は、電流端子３１と接触しておらず、これを押圧していないため、電流端子３１の損傷等の不具合を生じさせない。また、多数回の試験を行っても、第一、第二の導通端子２１０、２２０が摩耗しないという効果を有する。
【００２６】
更に、図３（ａ）に示すように、第一、第二の導通端子２１０、２２０の一方又は双方は、電流端子３１との接触箇所（各々の導通端子の内側面）において、導電性材料からなる弾性部材２５０を備えることが好ましい。弾性部材２５０は、電力量計３０の電流端子３１と接触すると、電流端子３１との接触面積を増やすよう変形する。その際、電流端子３１に押圧された方向とは逆方向に付勢する。そのため、電流端子３１との非接触箇所をほぼ無くすことが可能で、良好な接触状態を保つことができる。よって、第一、第二の導通端子２１０、２２０から電流端子３１へロスなく電流を供給することができ、それにともない、接触箇所での発熱を抑えることも可能となる。
【００２７】
次に、図２に示す導通端子移動手段３００は、上述した第二の導通端子２２０及びこれを設置支持する絶縁ブロック２４０を載置する第二の導通端子載置部３１０と、これを幅方向に移動させる第二の導通端子移動部３２０とを含む。第二の導通端子移動部３２０は、所定の力を与えることで、第二の導通端子載置部３１０を移動させることが可能なエアシリンダやアクチュエータ等が考えられる。ただし、同様の機能を奏するものであれば、これに限られない。
【００２８】
上記では、導通端子移動手段３００によって、第二の導通端子２２０のみが移動する形態について説明したが、これに限られるものではない。例えば、第一の導通端子２１０を移動させる他の導通端子移動手段を更に設け、電力量計３０の電流端子３１が、第一、第二の導通端子２１０、２２０の間に配置された後、双方の導通端子が、各々近接する方向に移動し、電流端子３１を挟持するような構造のものも考えられる。
【００２９】
更に、本実施形態に係る自動結線装置１０は、図４に示すように、電力量計３０の計測電力量情報受信手段４００を備える構成であってもよい。電力量計３０は、通常、計測した電力量に関する情報をパルス光線として外部に送信する電力量情報送信部３０ｂを備えている。計測電力量情報受信手段４００は、電力量計３０の電力量情報送信部３０ｂから送信された試験電力量情報を受信する機能を備える。
【００３０】
具体的には、計測電力量情報受信手段４００は、アーム部４１０と、電力量情報受信部４２０と、軸部４３０とを含む構成である。アーム部４１０の先端４１０Ａには、電力量情報受信部４２０が設けられる。また、アーム部４１０は、軸部４３０に軸支されて電力量計設置フレーム１１０に取り付けられる。更に、軸部４３０は、モーター等の駆動部材（図示しない。）と連結されている。そのため、軸部４３０が回転することで、アーム部４１０が回動する（図４の矢印Ｒ）。それにより、アーム部４１０の先端４１０Ａに取り付けられる電力量情報受信部４２０が、電力量計３０の電力量情報送信部３０ｂと対向する位置まで移動し、試験電力量の送受信が可能となる。なお、電力量情報受信部４２０は、電力量情報送信部３０ｂから発せられるパルス光線を受光可能なフォトダイオード等が考えられる。ただし、試験電力量情報が、パルス光線以外の他の媒体を介して送信される場合は、それを受信可能な装置や素子であればよい。
【００３１】
上記において、本実施形態に係る自動結線装置１０の構成を説明したが、電力量計設置部１００は、図６に示す電力量計３０の設置高さを調節する電力量計高さ調節手段５００を更に備えてもよい。本実施形態では、電力量計高さ調節手段５００は、２つの電力量計側面支持部１３０間に収まる寸法の板状部材である。この板状部材が、電力量計底面支持部１２０の上に載置される。これにより、定格によって電力量計３０の高さ寸法が異なる場合であっても、所定の姿勢を保ったまま電力量計３０を支持することができる。従って、本実施形態に係る自動結線装置１０は、電力量計高さ調節手段５００を設けることで、寸法の異なる複数の電力量計３０の試験を行うことが可能である。
【００３２】
ただし、電力量計高さ調節手段５００の形態は、これに限られるものではなく、例えば、電力量計底面支持部１２０の下部に、これを持ち上げ可能な機械要素等を配設し、これにより、電力量計底面支持部１２０の高さ位置を調節するような機構であってもよい。
【００３３】
次に、本実施形態に係る自動結線装置１０の作用を説明する。まず、手動又は自動で、電力量計３０が、電力量計設置部１００の電力量計設置フレーム１１０内（空域１１１）に挿入される。そのとき、電力量計３０の電流端子３１は、試験電力供給部２００の第一、第二の導通端子２１０、２２０の間に配置される。
【００３４】
その後、導通端子移動手段３００の第二の導通端子移動部３２０が駆動して、第二の導通端子載置部３１０が移動する。第二の導通端子２２０は、この第二の導通端子載置部３１０上に設置された絶縁ブロック２４０に固定されているため、第二の導通端子載置部３１０が移動することで、第二の導通端子２２０が、第一の導通端子２１０と近接する方向に移動する。これにより、電力量計３０の電流端子３１が、第一、第二の導通端子２１０、２２０により挟持された状態となる。その結果、試験装置２０から供給された試験電流（試験電力）が、電流端子３１と接触する第一、第二の導通端子２１０、２２０を介して、電力量計３０に供給可能な状態となる。
【００３５】
一方、電流端子３１と、第一、第二の導通端子２１０、２２０との接触状態を解除する場合、第二の導通端子移動部３２０を駆動し、第二の導通端子載置部３１０を上記とは逆方向に移動させる。
【００３６】
上記において、電力量計３０の試験時における、自動結線装置１０の動作について説明した。他方で、図１に示すように、複数の自動結線装置１０が直列的に接続される場合、図６（ａ）に示すように、第二の導通端子２２０ａが、導線４０Ａを介して、他の自動結線装置１０（以下、説明の便宜上、「左隣の自動結線装置」という。）と電気的に接続される。また、第二の導通端子２２０ｂも同様に、導線４０Ｂを介して、左隣の自動結線装置１０と接続される。一方、第二の導通端子２２０ｃが、導線４０Ｃを介して、他の自動結線装置１０（以下、説明の便宜上、「右隣の自動結線装置」という。）と電気的に接続される。また、第二の導通端子２２０ｄも同様に、導線４０Ｄを介して、右隣の自動結線装置１０と接続される。
【００３７】
電力量計３０が三線式であるとすると、電力量計３０内で、電流端子３１ａと３１ｄとが接続され、電流端子３１ｂと３１ｃとが接続される。このため、電力量計３０がセットされ、第二の導通端子２２０が、電流端子３１と接触した状態にある場合、左隣の自動結線装置から供給される電流は、第二の導通端子２２０ａ、電流端子３１ａ、電流端子３１ｄ、第二の導通端子２２０ｄの順に送電され、右隣の自動結線装置１０に流れる（同様に、左隣の自動結線装置から供給される電流は、第二の導通端子２２０ｂ、電流端子３１ｂ、電流端子３１ｃ、第二の導通端子２２０ｃの順に送電され、右隣の自動結線装置１０に流れる）。
【００３８】
それに対し、電力量計３０がセットされていない自動結線装置１０が一つでも存在すると、そこが開放状態となって、すべての自動結線装置に電力を供給できない状態となる。そこで、図６（ａ）に示すように、第二の導通端子２２０ａ〜ｄの各可動範囲Ａ（点線で囲まれる領域）内に短絡用導電部６００ａ〜ｄを配置する。また、第二の導通端子２２０ａと２２０ｄとを、導線４０Ｅを介して接続し、第二の導通端子２２０ｂと２２０ｃとを、導線４０Ｆを介して接続する。
【００３９】
図６（ｂ）に示すように、導通端子移動手段３００によって、導通端子２２０が、電流端子３１との接触を解除される方向に移動されると、第二の導通端子２２０の可動範囲内に配置される短絡用導電部６００と、第二の導通端子２２０とが接触する。これにより、第二の導通端子２２０と電流端子３１とが接触していない場合であっても、左隣の自動結線装置から供給される電流は、第二の導通端子２２０ａ、短絡用導電部６００ａ、短絡用導電部６００ｄ、第二の導通端子２２０ｄの順に送電され、右隣の自動結線装置１０に流れる（同様に、左隣の自動結線装置から供給される電流は、第二の導通端子２２０ｂ、短絡用導電部６００ｂ、短絡用導電部６００ｃ、第二の導通端子２２０ｃの順に送電され、右隣の自動結線装置１０に流れる）。従って、自動結線装置１０に電力量計３０がセットされているか否かに関わらず、左隣の自動結線装置から右隣の自動結線装置へ滞りなく電流を流すことができ、試験の際の作業効率を向上させることができる。
【００４０】
なお、第二の導通端子２２０の、短絡用導電部６００との接触箇所に、上述の弾性部材２５０を設けてもよい（これとは逆に、短絡用導電部６００の、第二の導通端子２２０との接触箇所に、弾性部材２５０を設けるようにしてもよい。ただし、図６（ａ）では、第二の導通端子２２０側に弾性部材２５０を設けた場合についてのみ図示する。）。これにより、第二の導通端子２２０と、短絡用導電部６００との接触状態をより良好にし、送電の際のロスを低減させることができる。
【符号の説明】
【００４１】
１０        自動結線装置
２０        試験装置
３０        電力量計
３１        電流端子
３２        電圧端子
１００      電力量計設置部
１１０      電力量計設置フレーム
１２０      電力量計底面支持部
１３０      電力量計側面支持部
２００      試験電力供給部
２１０      第一の導通端子
２２０      第二の導通端子
２３０      電圧印加部
２４０      絶縁ブロック
２５０      導電性の弾性部材
３００      導通端子移動手段
３１０      第二の導通端子載置部
３２０      第二の導通端子移動部
４００      計測電力量情報受信手段
４１０      アーム部
４２０      電力量情報受信部
４３０      軸部
５００      電力量計高さ調節手段
６００      短絡用導電部
【図１】
2015011022.tif 000003
【図２】
2015011022.tif 000004
【図３】
2015011022.tif 000005
【図４】
2015011022.tif 000006
【図５】
2015011022.tif 000007
【図６】
2015011022.tif 000008
【図７】
2015011022.tif 000009